(57)【要約】【課題】有益な情報を含むオーダ確認画面を生成する技術を提供する。【解決手段】オーダ記憶部１４０は、患者の検査オーダ情報を記憶する。検査情報記憶部１５０は、患者の検査情報を記憶する。画面制御部１００は、医師が検査前に確認するオーダ確認画面を生成する。種別取得部１０４は、患者の検査オーダ情報に含まれる検査種別を取得し、検査情報取得部１０６は、検査情報記憶部１５０から、検査オーダ情報が有する日付と最も近い検査実施日を有し、且つ種別取得部１０４が取得した検査種別と同一の検査種別を含む検査情報を取得する。画面生成部は、取得した検査情報を含むオーダ確認画面を生成する。【選択図】図２
2015212894.tif 000002
【特許請求の範囲】
【請求項１】
患者の検査オーダ情報を記憶するオーダ記憶部と、
患者の検査情報を記憶する検査情報記憶部と、
検査オーダ情報の確認画面を生成する画面制御部と、を備えた医療行為支援システムであって、
前記画面制御部は、患者の検査オーダ情報とともに、患者の過去の検査情報を含む確認画面を生成することを特徴とする医療行為支援システム。
【請求項２】
前記画面制御部は、
患者の検査オーダ情報に含まれる検査種別を取得する種別取得部と、
前記検査情報記憶部から、検査オーダ情報が有する日付と最も近い検査実施日を有し、且つ前記種別取得部が取得した検査種別と同一の検査種別を含む第１検査情報を取得する検査情報取得部と、
第１検査情報を含む確認画面を生成する画面生成部とを有する、
ことを特徴とする請求項１に記載の医療行為支援システム。
【請求項３】
前記検査情報取得部は、前記検査情報記憶部から、検査オーダ情報が有する日付と最も近い検査実施日を有し、且つ前記種別取得部が取得した検査種別と異なる検査種別を含む第２検査情報を取得し、
前記画面生成部は、第１検査情報と第２検査情報とを含む確認画面を生成することを特徴とする請求項２に記載の医療行為支援システム。
【請求項４】
確認画面に含まれる第１検査情報と第２検査情報は、それぞれ検査日情報と検査項目情報を含むことを特徴とする請求項３に記載の医療行為支援システム。
【請求項５】
検査情報は、検査実施日、検査に関するレポートの存在の有無を示す存否情報、検査種別を含んでおり、
前記検査情報取得部は、レポートが存在していることを示す存否情報を有する検査情報を取得することを特徴とする請求項２から４のいずれかに記載の医療行為支援システム。
【請求項６】
前記画面生成部は、検査オーダ情報が有する日付と、前記検査情報取得部が取得した検査情報に含まれる検査実施日との間に、レポートが存在していないことを示す存否情報を有する検査情報が前記検査情報記憶部に記憶されている場合に、検査オーダ情報が有する日付と最も近い検査実施日を有し、且つレポートが存在していない検査情報があることを示す情報を含む確認画面を生成することを特徴とする請求項２から５のいずれかに記載の医療行為支援システム。
【請求項７】
検査情報は、検査予定日、検査実施日を含んでおり、
検査情報の検査実施日に日付が入力されているか否かを判定する入力判定部と、
前記入力判定部により日付が入力されていないことが判定された場合に、検査実施日として、検査予定日に入力されている日付を入力する日付入力部と、をさらに備える、
ことを特徴とする請求項１から６のいずれかに記載の医療行為支援システム。
【請求項８】
検査を予定した日付を示す検査予定日と、検査を実施した日付を示す検査実施日を記憶するための検査情報記憶部と、
検査画像の撮像処理を行う撮像装置と、
前記撮像装置による撮像処理を検出する撮像検出部と、
前記撮像検出部が撮像処理を検出した検出日を、検査実施日として前記検査情報記憶部に入力する日付入力部と、を備えた医療行為支援システムであって、
前記日付入力部は、前記撮像検出部が撮像処理を検出しなかった場合に、前記検査情報記憶部において検査予定日として記憶されている日付を、検査実施日として前記検査情報記憶部に入力することを特徴とする医療行為支援システム。
【発明の詳細な説明】
【技術分野】
【０００１】
本発明は、医師等が検査開始前に検査オーダを確認するためのオーダ確認画面を生成する技術に関する。また本発明は、オーダ確認画面を生成するために必要な情報を入力する技術に関する。
【背景技術】
【０００２】
従来より病院等の医療施設では、検査などの医療行為に対して医療行為用オーダが発行され、発行された医療行為用オーダにしたがって医療行為が遂行されている。特許文献１は、ユーザが日付を指定すると、その日付と同一の手術予定日を含む手術オーダ情報をリスト形式で表示するシステムを開示している。
【先行技術文献】
【特許文献】
【０００３】
【特許文献１】特開２００７−１２２１７４号公報
【発明の概要】
【発明が解決しようとする課題】
【０００４】
医師は検査開始前に、ディスプレイに表示されるオーダ確認画面をみて、これから行う検査内容を確認してから検査を開始する。オーダ確認画面には、検査オーダ情報に加え、患者のプロフィール情報なども含まれる。検査業務において検査の正確性が要求されることはもちろんであるが、特に近年では検査の迅速性が要求されることも多く、できるだけ短時間で検査を終了させることが好ましい。そのため医師が検査開始前にみるオーダ確認画面に、これから行う検査に有益な情報を含めることで、医師が速やかに検査を開始できるようにすることが好ましい。
【０００５】
本発明はこうした状況に鑑みなされたものであり、その目的は、有益な情報を含むオーダ確認画面を生成する技術を提供することにある。
【課題を解決するための手段】
【０００６】
上記課題を解決するために、本発明のある態様の医療行為支援システムは、患者の検査オーダ情報を記憶するオーダ記憶部と、患者の検査情報を記憶する検査情報記憶部と、検査オーダ情報の確認画面を生成する画面制御部とを備える。画面制御部は、患者の検査オーダ情報とともに、患者の過去の検査情報を含む確認画面を生成する。
【０００７】
本発明の別の態様もまた、医療行為支援システムである。この医療行為支援システムは、検査を予定した日付を示す検査予定日と、検査を実施した日付を示す検査実施日を記憶するための検査情報記憶部と、検査画像の撮像処理を行う撮像装置と、撮像装置による撮像処理を検出する撮像検出部と、撮像検出部が撮像処理を検出した検出日を、検査実施日として検査情報記憶部に入力する日付入力部とを備える。日付入力部は、撮像検出部が撮像処理を検出しなかった場合に、検査情報記憶部において検査予定日として記憶されている日付を、検査実施日として検査情報記憶部に入力する。
【０００８】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００９】
本発明によれば、これから行う検査に有益な情報を含むオーダ確認画面を生成することができる。
【図面の簡単な説明】
【００１０】
【図１】実施例にかかる医療行為支援システムの構成を示す図である。
【図２】オーダ確認画面の生成機能を実現するための構成を示す図である。
【図３】検査情報記憶部に記憶される検査情報の一例を示す図である。
【図４】オーダ一覧画面の一例を示す図である。
【図５】オーダ確認画面の一例を示す図である。
【図６】オーダ確認画面の別の例を示す図である。
【図７】オーダ確認画面の別の例を示す図である。
【発明を実施するための形態】
【００１１】
図１は、本発明の実施例にかかる医療行為支援システム１の構成を示す図である。医療行為支援システム１は内視鏡業務を支援するためのシステムであり、内視鏡システム１０、管理システム４０、複数の端末装置３０、３４を備え、それらはＬＡＮ（ローカルエリアネットワーク）などのネットワーク２によって相互接続される。端末装置３０、３４はたとえばパーソナルコンピュータであって、それぞれ画面出力可能に表示装置３２、３６と接続されているが、端末装置３０、３４は表示装置と一体となったラップトップコンピュータであってもよく、また携帯型タブレットであってもよい。
【００１２】
管理システム４０は、医療画像を管理する医療画像管理装置４２、検査に対して発行される検査オーダ情報を管理するオーダ情報管理装置４４、検査情報を管理する検査情報管理装置４６を備える。内視鏡システム１０と管理システム４０は、ゲートウェイ装置を介して接続されてもよい。なお本実施例では検査情報管理装置４６が内視鏡システム１０における検査情報を管理し、内視鏡システム１０と医療画像管理装置４２とが、同一プロトコルのネットワークにて接続されていてもよい。
【００１３】
医療画像管理装置４２は、内視鏡システム１０により撮像された検査画像を検査オーダごとにまとめて記憶する画像記憶部を有して構成される。医療画像管理装置４２は、大容量の画像記憶部を備えたサーバとして構成され、画像記憶部としてＨＤＤ（ハードディスクドライブ）を備えてもよく、またフラッシュメモリを備えてもよい。各端末装置３０、３４は、医療画像管理装置４２にアクセスして、画像記憶部に記憶された検査画像を各表示装置３２、３４に表示できる。
【００１４】
オーダ情報管理装置４４は、患者の検査オーダ情報を記憶するオーダ記憶部を有して構成される。オーダ情報管理装置４４は、医療施設内においてオーダの発行を統括的に管理するオーダリングシステムとして設けられてもよい。検査情報管理装置４６は、患者の検査情報を記憶する検査情報記憶部を有して構成される。検査情報管理装置４６は、内視鏡検査に関する検査情報を管理し、オーダ情報管理装置４４に保持されている内視鏡検査のオーダ情報を取得して、検査情報を生成する。検査情報管理装置４６は、検査が終了した過去の検査情報を少なくとも管理し、また、これから検査を行う未来の検査情報も管理する。
【００１５】
内視鏡検査においては、検査室内に配置された端末装置３０がオーダ情報管理装置４４から内視鏡検査オーダを受け取り、表示装置３２に、内視鏡検査オーダの一覧画面を表示する。医師が、オーダ一覧から１つのオーダを選択すると、端末装置３０は、オーダ情報管理装置４４および検査情報管理装置４６から必要な情報を取得して、表示装置３２にオーダ確認画面を表示する。医師は、オーダ確認画面をみて、これから行う検査内容を確認してから、内視鏡検査を実施する。
【００１６】
なお、オーダ確認画面は、端末装置３０が生成してもよいが、管理システム４０が生成してもよい。たとえば検査情報管理装置４６が、端末装置３０からオーダ確認画面の生成指示を受け付けて、オーダ確認画面を生成し、端末装置３０に提供してもよい。このようにオーダ確認画面は、医療行為支援システム１において、いずれかの構成により生成されればよく、オーダ確認画面に含まれる情報については後述する。
【００１７】
内視鏡システム１０は、内視鏡スコープ１２、内視鏡処理装置１４および表示装置１６を備える。内視鏡スコープ１２は患者の体内に挿入され、医師が内視鏡スコープ１２のレリーズスイッチを押したタイミングで体内を撮像する。内視鏡スコープ１２は、固体撮像素子（たとえばＣＣＤイメージセンサまたはＣＭＯＳイメージセンサ）および信号処理回路を備える。固体撮像素子は入射光を電気信号に変換し、信号処理回路は、固体撮像素子により光電変換された画像データに対して、Ａ／Ｄ変換、ノイズ除去などの信号処理を施して、内視鏡処理装置１４に出力する。
【００１８】
内視鏡処理装置１４は、内視鏡システム１０全体を統括的に制御する。内視鏡処理装置１４の一つの重要な役割は、内視鏡スコープ１２により撮像された画像を医療画像管理装置４２に送信して、データベースに記憶させることであり、もう一つの重要な役割は、内視鏡スコープ１２により取得されている映像を表示装置１６にリアルタイムで表示させることにある。本実施例の内視鏡システム１０において、内視鏡スコープ１２および内視鏡処理装置１４は、検査画像の撮像処理を行う撮像装置２０を構成する。医療画像管理装置４２は、撮像装置２０で撮像された内視鏡画像データを受け取り、検査オーダごとにまとめて記憶部（データベース）に蓄積する。
【００１９】
端末装置３４は内視鏡科に設置されており、キーボードなどのユーザインタフェースが接続されている。内視鏡医は、検査が終了すると、端末装置３４で検査レポートを作成する。このとき端末装置３４は、医療画像管理装置４２から検査画像（内視鏡画像）を取得し、医師は、必要な画像をレポートに貼り付けることができる。
【００２０】
医療行為支援システム１は、これから行う検査に有益な情報を含むオーダ確認画面を医師に提供する機能を有する。本実施例においてオーダ確認画面に含ませる有益な情報は、患者の過去の検査履歴であり、検査医はオーダ確認画面をみることで、これから行う検査内容を確認するとともに、その患者が過去に内視鏡検査を行っていたかを知ることができる。
【００２１】
図２は、検査履歴を含んだオーダ確認画面の生成機能を実現するための構成を示す。医療行為支援システム１は、画面制御部１００、入力処理部１２０、オーダ記憶部１４０および検査情報記憶部１５０を備える。
【００２２】
これらの構成はハードウエア的には、任意のプロセッサ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。なお図２に示す構成は、内視鏡システム１０、端末装置３０および管理システム４０の少なくとも１つもしくはこれらが協働して実現される。
【００２３】
オーダ記憶部１４０は、患者の内視鏡検査オーダ情報を記憶する。検査オーダ情報は、「検査予定日」、「検査内容」を少なくとも含んで構成され、検査内容には、「検査種別」および「検査項目」が含まれる。たとえば内視鏡検査の検査種別としては、上部内視鏡検査、下部内視鏡検査が少なくとも含まれる。また検査オーダ情報は、担当医や検査室の情報を含んでもよい。オーダ記憶部１４０は、オーダ情報管理装置４４に設けられる。
【００２４】
検査情報記憶部１５０は、患者の検査情報を記憶する。検査情報は、検査予定日および検査実施日を含む日付情報と、検査種別および検査項目を含む検査内容を含んで構成される。また検査情報は、その検査の実施後に検査医によりレポートが作成されたか否かを示す存否情報を含んでもよい。検査情報記憶部１５０は、検査情報管理装置４６に設けられる。検査情報管理装置４６は、オーダ記憶部１４０に記憶された検査オーダ情報を取得し、取得した検査オーダ情報を用いて検査情報を作成する。たとえば検査情報管理装置４６は、検査オーダが発行された時点で、未実施検査の検査情報を作成してもよい。
【００２５】
なお、検査実施時に、検査オーダ情報で指定された検査種別に変更や追加があったような場合には、検査実施中ないしは検査終了後に、検査オーダ情報が適切に修正されて、検査情報管理装置４６が、修正された検査オーダ情報をもとに検査情報を修正してもよい。このとき検査オーダ情報が適切に修正されていなければ、担当医が検査情報をマニュアルで修正してもよい。
【００２６】
このように検査情報記憶部１５０は、オーダ記憶部１４０に記憶された検査オーダ情報を、検査情報として記憶する。検査情報記憶部１５０は、検査オーダに含まれる全ての情報を記憶しなくてもよいが、少なくとも一部の情報を検査情報として記憶する。この意味において本実施例においては、検査情報記憶部１５０を、オーダ記憶部として取り扱うことも可能である。
【００２７】
図３は、検査情報記憶部１５０に記憶される検査情報の一例を示す。図３では、説明の便宜上、１人の患者（患者１）についての検査情報を示しているが、検査情報記憶部１５０には、内視鏡検査の検査オーダが発行された全ての患者の検査情報が、患者を特定する患者ＩＤに紐付けて記憶されている。なお図３に示す「検査番号」は、本実施例の説明のために付与したものであり、検査情報記憶部１５０において登録されている検査番号ではないことにご留意いただきたい。
【００２８】
「検査予定日」の項目には、検査を予定した日付が入力される。「検査実施日」の項目には、検査を実施した日付が入力される。「検査種別」の項目には、内視鏡検査の種別が入力され、「検査項目」の項目には、検査種別をさらに細分化した検査内容が入力される。「レポート存否」の項目には、検査に関するレポートが作成されたか否かを示す情報が入力され、レポートが作成されている場合には「あり」、作成されていない場合には「なし」が入力される。「検査予定日」、「検査種別」、「検査項目」の項目には、検査に対して発行される検査オーダに含まれる情報が入力される。
【００２９】
図２に戻って、入力処理部１２０は、撮像検出部１２２、日付入力部１２４、入力判定部１２６、レポート登録確認部１２８およびオーダ情報解析部１３０を備える。オーダ情報解析部１３０は、オーダ記憶部１４０に記憶されている内視鏡検査のオーダ情報を取得し、オーダ情報に含まれる「検査予定日」、「検査種別」、「検査項目」の情報を抽出して、オーダＩＤに紐付けて、検査情報として検査情報記憶部１５０に記憶させる。オーダ情報解析部１３０は、内視鏡検査の開始前、たとえば内視鏡検査オーダが発行された時点で、「検査予定日」、「検査種別」、「検査項目」の情報を、検査情報として検査情報記憶部１５０に記憶させてよい。またオーダ情報解析部１３０は、一日の業務の開始前に、当日を検査予定日とする複数の内視鏡検査オーダをオーダ記憶部１４０から収集して、当日分の内視鏡検査オーダの検査情報を、検査情報記憶部１５０に記憶させてもよい。
【００３０】
図３に示す「検査実施日」の項目について説明する。「検査実施日」の項目には、内視鏡検査を実施した日付が入力される。内視鏡検査の実施日は、検査の終了後、医師がマニュアルで入力してもよいが、入力処理部１２０が、内視鏡スコープ１２のレリーズスイッチが押されたことを検出することで、内視鏡検査が行われたことが判定され、そのときの日付が「検査実施日」の項目に入力されてもよい。撮像検出部１２２は、撮像装置２０による撮像処理を検出する機能を有し、具体的には、内視鏡スコープ１２のレリーズスイッチが押されたことを検出する機能を有する。撮像検出部１２２が、撮像処理が行われたことを検出すると、日付入力部１２４が、撮像検出部１２２が撮像処理を検出した検出日を、「検査実施日」として検査情報記憶部１５０に入力する。このとき撮像検出部１２２および日付入力部１２４は、内視鏡システム１０における内視鏡処理装置１４の機能として形成されてよい。
【００３１】
また撮像検出部１２２は、医療画像管理装置４２の機能として形成されてもよい。内視鏡処理装置１４は、内視鏡スコープ１２のレリーズスイッチが押されると、撮像画像を医療画像管理装置４２に送信する。医療画像管理装置４２は、検査オーダと紐付けて検査画像を記憶するが、このとき、医療画像管理装置４２に形成される撮像検出部１２２は、その検査画像が送信された日付（すなわち撮像処理が行われた日付）を日付入力部１２４に通知し、日付入力部１２４が、撮像検出部１２２が撮像処理を検出した検出日を、「検査実施日」として検査情報記憶部１５０に入力する。このように撮像検出部１２２および日付入力部１２４は、内視鏡処理装置１４の機能、または医療画像管理装置４２の機能として設けられてよく、いずれに設けられる場合であっても、内視鏡スコープ１２による撮像処理を自動的に検出して、検査実施日の項目に、検査情報として撮像日を入力できることが好ましい。
【００３２】
図３に示す「レポート存否」の項目について説明する。「レポート存否」の項目には、検査に関するレポートの存在の有無を示す情報が入力され、デフォルト値として「なし」が設定されている。既述したように、医師は、内視鏡検査の終了後、内視鏡検査に関するレポートを作成する。医師は、検査室内の端末装置３０からレポートを作成してもよいが、検査室から内視鏡科に戻り、自席の端末装置３４からレポートを作成してもよい。作成したレポートは、検査情報管理装置４６において検査情報に関連付けて記憶される。たとえば検査情報記憶部１５０が、検査情報に関連付けてレポートを記憶してもよい。レポート登録確認部１２８は、レポートが検査情報記憶部１５０に登録されたことを確認すると、図３に示す検査情報の「レポート存否」の項目を「あり」に設定し、その内視鏡検査に対してレポートが作成されていることを検査情報として登録する。なお原則として医師は検査を終了すると、レポートを作成することになっているが、たとえば検査において異常所見がなかったようなケースでは、医師がレポートを作成しないこともあり、またレポートの作成を後回しにしたまま忘れてしまうこともある。そのため、そのような場合には、「検査実施日」の項目には日付が入力され（実際に検査が行われ）ているにも関わらず、「レポート存否」の項目に「なし」が設定されていることもある。図３の例では、検査番号３の上部内視鏡検査において、２０１４年２月１０日に検査が実施されているが、レポートは作成されていないことが検査情報として示されている。なお検査番号５の上部内視鏡検査では、レポートが作成されていないが、これは、まだ検査が実施されていないため、「レポート存否」の項目に、デフォルト値である「なし」が設定されている状態が示されている。
【００３３】
以上のように、検査情報が生成され、検査情報記憶部１５０に記憶される。以下では、検査番号５として登録されている内視鏡検査を実施する際に、有益な情報を含めたオーダ確認画面を生成する方法について説明する。
【００３４】
図２に戻って、画面制御部１００は、表示装置３２などに表示するための画面を生成する機能を有し、オーダ情報取得部１０２、種別取得部１０４、検査情報取得部１０６、画面生成部１０８および指示受付部１１０を備えて構成される。本実施例において画面制御部１００は、検査オーダの一覧画面および検査オーダ情報の確認画面を生成する。
【００３５】
医師は、検査室内に配置された端末装置３０から、本日分の検査オーダの一覧画面を表示装置３２に表示させる。医師は、キーボードやマウスなどのユーザインタフェースを操作して、本日分のオーダ一覧画面の表示指示を入力する。なお医師は、端末装置３４から、表示装置３６に検査オーダの一覧画面を表示させてもよい。医師が本日分の検査オーダ一覧画面の表示指示を入力すると、指示受付部１１０が、表示指示を受け付けて、オーダ記憶部１４０に本日分の検査オーダ情報の送信を要求する。オーダ情報取得部１０２は、オーダ記憶部１４０から本日分の検査オーダ情報を取得し、画面生成部１０８が、オーダ一覧画面を生成して、表示装置３２にオーダ一覧画面を表示する。
【００３６】
図４は、オーダ一覧画面の一例を示す。このオーダ一覧画面には本日分の検査オーダの一覧が表示されている。医師は、画面上部の日付を指定することで、指定した日付の検査オーダの一覧画面を見ることができる。オーダ一覧画面において、医師は、これから検査を開始する検査オーダを選択する。指示受付部１１０が検査オーダの選択指示を受け付けると、画面生成部１０８が、オーダ確認画面を生成して、表示装置３２にオーダ確認画面を表示する。以下、指示受付部１１０が、オーダ一覧画面における患者１の検査オーダの選択指示を受け付け、画面生成部１０８が、患者１の検査オーダの確認画面を生成する例について説明する。なお、選択された患者１の検査オーダは、図３に示す検査番号５の検査情報に対応するものとする。
【００３７】
図５は、オーダ確認画面の一例を示す。このオーダ確認画面には、検査オーダに含まれる検査内容の詳細情報と、患者情報とが少なくとも含まれる。オーダ情報取得部１０２は、患者１の検査オーダの詳細情報をオーダ記憶部１４０から取得し、また患者情報を患者データベース（図示せず）から取得する。図５において、患者基本情報、依頼情報およびオーダ情報は、オーダ記憶部１４０から取得された情報により構成され、患者プロフィールは、患者データベースから取得された情報により構成されてよい。なお既述したように、検査情報記憶部１５０には、オーダ記憶部１４０から取得した検査オーダ情報が記憶されており、したがってオーダ情報取得部１０２は、検査情報記憶部１５０から、検査オーダの詳細情報を取得することも可能である。
【００３８】
オーダ確認画面には、検査オーダの発行時点（ここでは、検査依頼日である２０１４年４月２５日）での患者１の注意情報も含まれる。図５においては、感染症の有無、アレルギーの有無、注意事項の有無、障害情報の有無が示されており、これから行う内視鏡検査において医師が注意しなければならない情報が示される。このオーダ確認画面においては、全ての注意情報が「なし」に設定されているが、たとえば患者１が、所定の薬剤についてアレルギーを有している場合には、アレルギー情報としてその旨が表示され、また患者１が心臓病を有している場合には、注意事項として、その旨が表示される。医師は、このような注意情報を検査前に確認することで、安全な検査を実施できるようになる。これらの注意情報は、オーダ情報取得部１０２により、患者データベースから取得されてもよい。
【００３９】
本実施例のオーダ確認画面には、履歴表示領域２００において、患者１の直近の検査履歴が表示される。履歴表示領域２００に表示される直近検査履歴は、検査情報記憶部１５０に記憶されている検査情報から生成される。
【００４０】
図３を参照すると、患者１は、過去、検査番号１〜４で示される内視鏡検査を受けており、検査情報記憶部１５０は、これらの検査情報を記憶している。過去の検査情報は、これから検査番号５で示される内視鏡検査を行う医師にとっては有益な情報であり、医師は、患者１が過去最も近い時期にどのような検査を行っているか、また、その時期が１ヶ月前なのか、または５年前なのかという情報を把握してから、内視鏡検査を実施することが好ましい。
【００４１】
仮に、オーダ確認画面に、過去の検査履歴が表示されないとすると、医師は、過去の検査履歴を確認するために、たとえばシステムの検索機能を利用して、患者ＩＤを入力して、検査情報記憶部１５０を検索した結果（患者１の検査履歴）を表示装置３２に表示させる必要がある。
【００４２】
しかしながら医療施設においては、時間短縮化の観点から、効率的に医療行為を完了させることが要求されている。そのため内視鏡検査前に、医師がわざわざ患者ＩＤを端末装置３０から入力して、検査情報記憶部１５０における患者の過去の検査情報を検索して検索結果を表示装置３２に表示させるという作業は非効率であり、そのため、そのような作業自体が省略されることも多かった。そこで、本実施例の医療行為支援システム１においては、医師に検索作業を行わせることなく、オーダ確認画面において、患者の過去の検査履歴を含めるようにし、医師がオーダ確認画面をみた後、すみやかに内視鏡検査を開始できるようにしている。
【００４３】
また医療現場の要請として、オーダ確認画面は、表示装置３２の一画面に収まるように形成されることが望まれている。オーダ確認画面に多くの情報を含めようとすると、その分、オーダ確認画面のサイズも大きくなるが、一画面に収まりきらない画面下部に含まれる情報を確認するためには、医師がマウス等を操作して、画面をスクロールさせる必要がある。上記したように検査時間短縮化の要請のもとでは、医師が瞬時にオーダ確認画面の表示情報を確認できる必要があり、一画面に表示されている情報が全てと勘違いして、画面をスクロールしない事態も想定されるため、医師による情報の見落としを防止するために、オーダ確認画面をスクロールする必要のない大きさで形成することが切望されている。
【００４４】
そのためオーダ確認画面を一画面に収めようとすると、含める情報量を多くすることはできず、したがって検査履歴を表示するための履歴表示領域２００も、一画面中に大きくとることはできない。そこで本実施例では、履歴表示領域２００において、直近の検査履歴、すなわち検査オーダ情報が有する日付と最も近い検査実施日を有する検査情報を含め、それ以外の検査情報の表示を省略している。
【００４５】
図５に示すように、画面制御部１００は、患者の検査オーダ情報、患者の情報とともに、患者の過去の検査情報を含むオーダ確認画面を生成する。画面制御部１００において、種別取得部１０４は、患者の検査オーダ情報に含まれる検査種別を取得する。検査情報取得部１０６は検査情報記憶部１５０から、検査オーダ情報が有する日付と最も近い検査実施日を有し、且つ種別取得部１０４が取得した検査種別と同一の検査種別を含む検査情報を取得する。ここで、これから患者１に対して行う検査種別は「上部内視鏡検査」であり、種別取得部１０４は、検査種別として「上部内視鏡検査」を取得する。
【００４６】
図３を参照して、検査オーダ情報が有する日付（２０１４年５月１日）と最も近い検査実施日を有し、且つ「上部内視鏡検査」の検査種別を含む検査情報は、検査番号３で示される検査情報である。検査情報取得部１０６は、検査番号３で示される検査情報を取得し、画面生成部１０８は、履歴表示領域２００における同検査種別欄２０２に、直近の同検査種別情報として、直近の同種別の検査日が２０１４年２月１０日であること、および、検査項目が上部内視鏡検査（一般）であったことを示す検査情報を含める。
【００４７】
今回行う検査種別の検査を、患者１が過去に受けたことがあるか、また過去に受けている場合には、いつ受けたかを示す情報は、医師にとって有益な情報である。たとえば、過去の検査実施日が、現在から近い場合には、患者１が経過観察中であることが多く、医師は、たとえばレポートを確認するなど、必要な対応をとることができる。一方で、過去の検査実施日が１０年以上前であれば、医師は、その当時のレポートを確認する必要もないと判断し、ただちに内視鏡検査を開始してもよい。このように、同検査種別の過去の検査日や検査項目は、情報としては僅かではあるが、医師にとっては非常に有益であり、画面生成部１０８が、直近の同検査種別の検査情報を含むオーダ確認画面を生成することで、医師は、すみやかに内視鏡検査を開始できるようになる。
【００４８】
本実施例において、検査情報取得部１０６は、さらに検査情報記憶部１５０から、検査オーダ情報が有する日付と最も近い検査実施日を有し、且つ種別取得部１０４が取得した検査種別と異なる検査種別を含む検査情報を取得する。図３を参照して、検査オーダ情報が有する日付（２０１４年５月１日）と最も近い検査実施日を有し、且つ「上部内視鏡検査」の検査種別と異なる検査種別を含む検査情報は、検査番号４で示される検査情報である。検査情報取得部１０６は、検査番号４で示される検査情報を取得し、画面生成部１０８は、履歴表示領域２００における異検査種別欄２０４に、直近の異検査種別情報として、直近の異種別の検査日が２０１４年３月１日であること、および、検査項目が下部内視鏡検査（一般）であったことを示す検査情報を含める。
【００４９】
異なる検査種別の過去の検査情報は、今回行う検査と異なる観察範囲に関するものであるが、医師が、患者１がどのような検査を受けてきたかを知るには有益な情報である。そのため画面生成部１０８は、直近の同検査種別の検査情報だけでなく、直近の異検査種別の検査情報を含むオーダ確認画面を生成することで、医師が、患者の状態を適切に把握したうえで、内視鏡検査を開始できるようになる。なお既述したように、一画面表示されるオーダ確認画面において、履歴表示領域２００のスペースを大きくとることは困難であるため、スペースが許さない場合には、画面生成部１０８は、直近の同検査種別の検査情報のみを含めたオーダ確認画面を生成するようにしてもよい。
【００５０】
なお画面生成部１０８は、検査情報への履歴表示リンク１９０をオーダ画面に含めるようにしてもよい。履歴表示リンク１９０には、図３に示す患者１の検査情報を表示するための機能が設定され、医師は、履歴表示リンク１９０を選択することで、図３に示す検査情報の一覧が表示装置３２に表示されるようにしてもよい。
【００５１】
なお、上記の例では検査情報取得部１０６が、直近の同検査種別および異検査種別の検査情報を検査情報記憶部１５０から取得することを説明したが、取得する検査情報は、レポートが存在しているものに限ってもよい。既述したように、レポートが存在していない場合は、異常所見がみつからなかったような検査情報であることがあり、限られた履歴表示領域２００に表示する検査情報としては、有益な情報とはならない可能性があるためである。そこで検査情報取得部１０６は、直近の検査情報であって、且つレポートが存在していることを示す存否情報を有する検査情報を取得してもよい。
【００５２】
図３を参照して、同検査種別である上部内視鏡検査に関して、検査番号３の検査情報においては「レポート存否」の項目に「なし」が設定されており、検査番号２の検査情報においては「レポート存否」の項目に「あり」が設定されている。したがって、レポートが存在していることが表示条件として設定されている場合には、検査情報取得部１０６は、検査番号２の検査情報を取得し、画面生成部１０８が、直近の同検査種別の検査情報として、同検査種別欄２０２に表示するようにする。
【００５３】
図６は、オーダ確認画面の別の例を示す。このオーダ確認画面においては、同検査種別欄２０２に、検査番号２で示される検査情報が表示されている。同検査種別欄２０２には、検査番号２のレポートへのリンク情報が設定され、たとえば医師が同検査種別欄２０２を選択すると、検査番号２のレポートが表示装置３２に表示されるようにしてもよい。これにより医師は、直近の検査のレポートを容易に見ることができるようになる。
【００５４】
図７は、オーダ確認画面の別の例を示す。図６に示すオーダ確認画面においては、レポートが作成されていない検査番号３の検査情報が表示されていないが、図７に示すオーダ確認画面では、検査情報としては表示しないものの、検査番号３の検査情報が存在することが通知される。
【００５５】
画面生成部１０８は、検査オーダ情報が有する日付と、検査情報取得部１０６が取得した検査情報に含まれる検査実施日との間に、レポートが存在していないことを示す存否情報を有する検査情報が検査情報記憶部１５０に記憶されている場合に、検査オーダ情報が有する日付と最も近い検査実施日を有し、且つレポートが存在していない検査情報があることを示す通知情報２０６を含む確認画面を生成する。図３の例でいえば、検査オーダ情報が有する日付（検査番号５：２０１４年５月１日）と、検査情報取得部１０６が取得した同検査種別の検査情報に含まれる検査実施日（検査番号２：２０１４年１月１日）の間に、レポートが作成されていない検査実施日（検査番号３：２０１４年２月１０日）を有する検査情報が存在している。この場合、画面生成部１０８は、同検査種別欄２０２に示した検査情報の前に、レポートが存在していない検査情報があることを示す通知情報２０６を、同検査種別欄２０２に関連付けて表示する。たとえば通知情報２０６には、検査番号３の検査情報へのリンク情報が設定され、医師が通知情報２０６を選択すると、検査番号３の検査情報がレポート確認画面上に重畳表示されるようにしてもよい。これにより医師は、レポートが作成されていないが、最も近い過去の検査情報を容易に見ることができるようになる。
【００５６】
以上のように画面制御部１００は、オーダ一覧画面およびオーダ確認画面を生成して、表示装置３２から出力する。上記した例では、画面制御部１００の各機能ブロックが、端末装置３０により実現されることを説明したが、各機能ブロックは、管理システム４０において実現されてもよく、また端末装置３０と管理システム４０とが協働して実現してもよい。
【００５７】
画面制御部１００において、検査情報取得部１０６は、検査情報記憶部１５０に含まれる検査実施日に入力された日付を参照して、これから行う検査に最も近い日付の検査情報を取得する。本実施例において検査情報記憶部１５０の「検査実施日」の項目には、撮像検出部１２２が撮像処理を検出した検出日が入力される。
【００５８】
撮像装置２０は内視鏡スコープ１２と内視鏡処理装置１４とによって構成されているが、内視鏡スコープ１２の種類によっては、撮像検出部１２２が、内視鏡スコープ１２による撮像処理を検出できないこともある。また、別の撮像装置で撮像された検査画像を、検査情報管理装置４６に外部画像として取り込む場合には、撮像検出部１２２が、当該別の撮像装置による撮像処理を検出することができない。撮像検出部１２２が撮像処理が行われたことを検出できなければ、日付入力部１２４が検査実施日を検査情報記憶部１５０に入力できないため、その検査情報の検査実施日の項目は、ブランクのままとなってなる。その場合には、検査情報取得部１０６が、検査情報の検査実施日を参照することができないため、検査実施日の項目には、何らかの日付を入力する必要がある。
【００５９】
そこで本実施例では、入力判定部１２６が、検査情報記憶部１５０に含まれる検査情報の「検査実施日」の項目を参照し、日付が入力されているか否かを判定する。たとえば、この判定を行うタイミングは、検査情報記憶部１５０が、撮像装置２０とは異なる撮像装置で撮像された外部画像を記憶したときであってよい。入力判定部１２６は、外部画像を検査情報に関連付けて登録する際に、その検査情報の「検査実施日」の項目がブランクであれば、日付入力部１２４により日付が入力されていないことを判定する。また、判定を行うタイミングは、医師がレポートを作成するときであってもよく、入力判定部１２６は、医師が作成したレポートを検査情報に関連付けて登録する際に、その検査情報の「検査実施日」の項目がブランクであれば、日付入力部１２４により日付が入力されていないことを判定する。
【００６０】
日付入力部１２４は、入力判定部１２６により日付が入力されていないことが判定された場合に、検査予定日に入力されている日付を参照して、検査予定日に入力されている日付を検査実施日として検査情報記憶部１５０に入力する。ここで未入力の検査実施日を、検査予定日以外の日付、たとえば外部画像を取り込んだ日に設定すると、取り込み日が、実際の検査実施日よりも遅い可能性が否定できない。また未入力の検査実施日を、レポートが作成された日に設定すると、レポート作成日が、検査当日ではなく、その後である可能性が否定できない。そのため、本実施例のように検査予定日と検査実施日とを別個のフィールドで管理する場合に、撮像検出部１２２が撮像処理を検出せずに、検査実施日が入力されていない場合には、検査実施日のフィールドに、検査予定日の日付情報を入力することで、検査実施日がブランクのままとなる事態を回避する。
【００６１】
ここで検査予定日が変更になった場合であるが、既述したように検査オーダに変更があると、オーダ情報管理装置４４は検査オーダを修正して、新たな検査オーダ情報を生成する。そのため、検査情報管理装置４６に記憶されている検査情報においても、検査オーダの修正に合わせて検査予定日が修正されることとなり、この意味において検査予定日に入力されている日付は、非常に信頼性の高い情報であることがいえる。このため、検査予定日の日付を、未入力の検査実施日の日付とみなすことで、上記したように、直近の検査履歴をオーダ確認画面に適切に表示することが可能となる。
【００６２】
以上、本発明を、実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６３】
たとえばオーダ確認画面において、直近の検査履歴が同検査種別欄２０２および異検査種別欄２０４に表示されることを説明したが、同検査種別欄２０２および異検査種別欄２０４を設けるスペースが存在しない場合には、履歴表示領域２００内における「同検査種別」、「異検査種別」の表示に、それぞれ直近の検査情報へのアクセスを可能とするリンクを設定してもよい。この場合、医師は、「同検査種別」ないしは「異検査種別」の表示を選択することで、それぞれの種別の検査情報を容易に見ることができるようになる。
【符号の説明】
【００６４】
１・・・医療行為支援システム、１０・・・内視鏡システム、２０・・・撮像装置、３０・・・端末装置、３２・・・表示装置、４０・・・管理システム、４２・・・医療画像管理装置、４４・・・オーダ情報管理装置、４６・・・検査情報管理装置、１００・・・画面制御部、１０２・・・オーダ情報取得部、１０４・・・種別取得部、１０６・・・検査情報取得部、１０８・・・画面生成部、１１０・・・指示受付部、１２０・・・入力処理部、１２２・・・撮像検出部、１２４・・・日付入力部、１２６・・・入力判定部、１２８・・・レポート登録確認部、１３０・・・オーダ情報解析部、１４０・・・オーダ記憶部、１５０・・・検査情報記憶部。
【図１】
2015212894.tif 000003
【図２】
2015212894.tif 000004
【図３】
2015212894.tif 000005
【図４】
2015212894.tif 000006
【図５】
2015212894.tif 000007
【図６】
2015212894.tif 000008
【図７】
2015212894.tif 000009